(57)【要約】【課題】分解時において軌道輪３を内軸４から容易に取り外すことができる車輪用転がり軸受装置を提供する。【解決手段】車輪取付用フランジ６の基部６ａの複数箇所に、一端が当該フランジ６の車両アウタ側の端面に開口し、他端が軌道輪の車両アウタ側の端面に臨む貫通孔７を設け、前記貫通孔７に挿入したピンを介して軌道輪３を車両インナ側へ移動できるようにした。【選択図】      図１
2007270892.tif 000002
【特許請求の範囲】
【請求項１】
内周に複列の外側軌道面が形成された外輪部材と、
この外輪部材と同軸に配置され、外周面から径外方向に突出した車輪取付用フランジが形成された内軸と、
この内軸の外周面に締まり嵌め状態で嵌合されているとともに、外周に前記外輪部材の複列の外側軌道面と対向する複列の内側軌道面が形成された一対の軌道輪と、
前記外側軌道面と前記内側軌道面との間に介在した転動体とを備える車輪用転がり軸受装置であって、
前記フランジの基部の複数箇所に、一端が当該フランジの車両アウタ側の端面に開口し、他端が前記軌道輪の車両アウタ側の端面に臨む貫通孔が設けられていることを特徴とする車輪用転がり軸受装置。
【請求項２】
前記複数の貫通孔が等配に設けられている請求項１記載の車輪用転がり軸受装置。
【発明の詳細な説明】
【技術分野】
【０００１】
本発明は、車輪用転がり軸受装置に関する。
【背景技術】
【０００２】
車輪を車両に支持するのに用いられる車輪用転がり軸受装置は、例えば図２に示すように、内周に複列の外側軌道面１aが形成された外輪部材１と、この外輪部材１と同軸に配置され、外周面から径外方向に突出した車輪取付用フランジ６を有する内軸４とを備えている。前記内軸４の車両インナ側（図２において右側）の外周面には、一対の軌道輪３が締まり嵌め状態で嵌合されており、この状態で雄ネジ部１５に対するナット９の締め付け力により、ナット９と車輪取付用フランジ６の基部６ａとの間で挟まれて、軸方向への移動が規制されている。そして、各軌道輪３の外周には、外輪部材１の複列の外側軌道面１aと対向する内側軌道面３aがそれぞれ形成されている。また、前記外側軌道面１aと内側軌道面３aとの間には、複数の転動体２を介在している（例えば、特許文献1参照）。
【０００３】
【特許文献１】特開２００３−２８７０３６号公報（第５頁、図１）
【発明の開示】
【発明が解決しようとする課題】
【０００４】
前記した従来の車輪用転がり軸受装置においては、その部品交換等のために分解する際に、軌道輪３を内軸４から取り外す必要が生じる場合がある。この場合、ナット９を雄ネジ部１５から取り外し軌道輪３の車両インナ側への移動を許容した状態で、引き抜き具としてのプーラーの爪部を、フランジ６の基部６ａと、この基部６ａに接触している車両アウタ側（図２において左側）の軌道輪３の端面との間に挿入して、各軌道輪３を車両インナ側へ引き抜くことが行われている。
【０００５】
しかし、前記フランジ６の基部６ａと軌道輪３の端面とが密着しているために、プーラーの爪部をフランジ６の基部６ａと軌道輪３の端面との間に挿入し難い。このため、軌道輪３を取外すのに手間取り、分解作業に多くの工数を必要とするという問題があった。
【０００６】
本発明は、前記問題点に鑑みてなされたものであり、軌道輪を内軸から容易に取り外すことができ、その分解作業を効率よく行うことができる車輪用転がり軸受装置を提供することを目的とする。
【課題を解決するための手段】
【０００７】
前記目的を達成するための本発明の車輪用転がり軸受装置は、内周に複列の外側軌道面が形成された外輪部材と、この外輪部材と同軸に配置され、外周面から径外方向に突出した車輪取付用フランジが形成された内軸と、この内軸の外周面に締まり嵌め状態で嵌合されているとともに、外周に前記外輪部材の複列の外側軌道面と対向する複列の内側軌道面が形成された一対の軌道輪と、前記外側軌道面と前記内側軌道面との間に介在した転動体とを備える車輪用転がり軸受装置であって、前記フランジの基部の複数箇所に、一端が当該フランジの車両アウタ側の端面に開口し、他端が前記軌道輪の車両アウタ側の端面に臨む貫通孔が設けられていることを特徴としている。
【０００８】
本発明によれば、前記軌道輪を内軸から取外す際に、車両アウタ側より前記貫通孔にピンを挿入し、このピンを例えばプレスで軌道輪側に押圧することにより、当該ピンを介して軌道輪を車両インナ側に移動させて、当該軌道輪を内軸から容易に取り外すことができる。
【０００９】
前記複数の貫通孔は、等配に設けられているのが好ましい。この場合には、車両アウタ側軌道輪の端面の複数箇所をピンによって均等に押圧することができるので、軌道輪を車両インナ側にスムースに移動させることができるとともに、前記貫通孔に起因して内軸の回転バランスが崩れるのを抑制することができる。
【発明の効果】
【００１０】
本発明の車輪用転がり軸受装置によれば、その分解作業時に軌道輪を内軸から容易に取り外すことができるので、当該分解作業を効率よく行うことができる。
【発明を実施するための最良の形態】
【００１１】
以下、図面を参照しつつ、本発明の実施形態を説明する。
図１は、本発明に係る車輪用転がり軸受装置の一実施形態を示す断面図である。この車輪用転がり軸受装置の基本的構造は従来のものと同じであり、同一部分には同一の参照符号を付している。前記軸受装置は、内周に複列の断面円弧状の外側軌道面１aを有した外輪部材１と、この外輪部材１の内周に複数の転動体２を介して配置された内軸４及び軌道輪３とを備えている。
【００１２】
内軸４は、外輪部材１と同軸に配置され、一端側（車両アウタ側端部。図１において左側）の外周には、車輪取付用フランジ６が径外方向に突出して形成されているとともに、外輪部材１の外周には、車体取付用フランジ５が径外方向に突出して形成されている。また、車輪取付用フランジ６には、ホイールやブレーキロータ等の車輪側部材（図示せず）を取り付けるためのボルト１２が設けられている。そして、内軸４の車両アウタ側端部には、ブレーキのロータ（図示せず）を嵌め込むための環状のインロー部１１が軸方向に突設されている。また、内軸４の車両インナ側端部には、雄ネジ部１５が設けられており、この雄ネジ部１５にはナット９が螺合されている。
【００１３】
軌道輪３は、一対構成されており、外周に外輪部材１の複列の外側軌道面１aと対向する複列の断面円弧状の内側軌道面３aがそれぞれ形成されている。そして、当該軌道輪３は、内軸４の外周面に締まり嵌め状態で圧入されており、この状態で雄ネジ部１５に対するナット９の締め付け力により、ナット９と車輪取付用フランジ６の基部６ａとの間で挟まれて、軸方向への移動が規制されている。また、軌道輪３の車両インナ側外周には、転がり軸受装置内部の潤滑油の漏洩を防止するためのスリンガー１６が嵌合固定されている。
【００１４】
転動体２は鋼球からなり、外側軌道面１aと内側軌道面３aとの間に介在している。なお、それぞれの転動体２を所定間隔で保持するために保持器１０が設けられ、また、外輪部材１と軌道輪３との間の環状空間を密封するためにシール１４が設けられている。また、外輪部材１の端部内周面には、鉄板等の金属板をプレス成形することで作製されたカバー１３が嵌め込まれている。
【００１５】
以上の構成の軸受装置において、前記車輪取付用フランジ６の基部６ａには、複数の貫通孔７が設けられている。各貫通孔７は同一円周上の例えば２〜６箇所に等配に設けられている。また、各貫通孔７の一端は、車輪取付用フランジ６の車両アウタ側の端面に開口しており、他端は当該車輪取付用フランジ６に接触させた軌道輪３の端面に臨ませてある。各貫通孔７は例えば車両アウタ側からねじ込んだボルト８によって閉塞されており、当該貫通孔７を通して水等の異物が車両インナ側へ侵入しないようになっている。
【００１６】
以上の構成であれば、前記軌道輪３を内軸４から取外す際に、ナット９を雄ネジ部１５から取り外し軌道輪３の車両インナ側への移動を許容した状態で、かつ貫通孔７からボルト８を取り外した状態で、車両アウタ側より前記貫通孔７にピンを挿入し、このピンを例えばプレスで車両インナ方向へ押圧することにより、当該ピンを介して軌道輪３を車両インナ側に移動させることができ、最終的に当該軌道輪を内軸４から容易に取り外すことができる。この際、前記貫通孔７が等配に設けられているので、軌道輪３の端面の複数箇所をピンによって均等に押圧することができ、これにより、軌道輪３を車両インナ側にスムースに移動させることができる。また、前記貫通孔７に起因して内軸４の回転バランスが崩れるのを抑制することもできる。
【００１７】
なお、仮にプーラーを用いて軌道輪３を取り外す場合でも、上記ピンを介して軌道輪３を車両インナ側に移動させて、車輪取付用フランジ６の基部６ａと軌道輪３の端面との間に隙間を生じさせることができるので、当該プーラーの爪を軌道輪３に容易に引っ掛けることができる。
このように、本発明によれば軸受装置の分解時に、軌道輪３を内軸４から容易に取り外すことができるので、その分解作業を効率よく行うことができる。
【００１８】
なお、本発明の車輪用転がり軸受装置は、図示する形態に限らず本発明の範囲内において他の形態のものであってもよく、例えば、上記の実施形態は、従動輪用転がり軸受装置について示したが、駆動輪用転がり軸受装置であってもよい。
【図面の簡単な説明】
【００１９】
【図１】本発明に係る車輪用転がり軸受装置の一実施形態を示す断面図である。
【図２】従来の車輪用転がり軸受装置の断面図である。
【符号の説明】
【００２０】
１  外輪部材
１a  外側軌道面
２  転動体
３  軌道輪
３a  内側軌道面
４  内軸
６  フランジ
６a  基部
７  貫通孔
【図１】
2007270892.tif 000003
【図２】
2007270892.tif 000004